(57)【要約】      （修正有）【課題】利用者の手触りが良く、外観がより美観になるとともに、市販されている全ての缶の炭酸飲料およびビール飲料の包装に適用可能な炭酸飲料／ビール泡立て機を提供する。【解決手段】炭酸飲料／ビール泡立て機は、本体ソフトスリーブ６を備える。本体ソフトスリーブ６内に上蓋１および台座２が設けられる。上蓋１と台座２とによって構成された空間内に液体通路および振動モジュールが設けられる。振動モジュールは、液体通路を流れた気体含有飲料に対して振動を行なうことで気体含有飲料に泡を立てるように設けられる。上蓋１の外側に１対の留め金５が対称となるように設けられる。留め金５は、その中に回転軸５１を設置することで上蓋１にピンジョイントされる。留め金５の下端が飲料包装口を掛けるためのバックル足５２であり、留め金５の上端が押圧部５３である。押圧部５３と上蓋１の間に戻しバネ５４が設けられる。【選択図】図１
0003214509.tif 000002
【実用新案登録請求の範囲】
【請求項１】
本体ソフトスリーブ（６）を備え、
前記本体ソフトスリーブ（６）内に上蓋（１）および台座（２）が設けられ、前記上蓋（１）と台座（２）とによって構成された空間内に液体通路（３）および振動モジュール（４）が設けられ、前記振動モジュール（４）は、液体通路（３）を流れた気体含有飲料に対して振動を行なうことで気体含有飲料に泡を立てるように設けられ、前記上蓋（１）の外側に１対の留め金（５）が対称となるように設けられ、前記留め金（５）は、その中の回転軸（５１）を設置することで上蓋（１）にピンジョイントされ、前記留め金（５）の下端が飲料包装口を掛けるためのバックル足（５２）であり、前記留め金（５）の上端が押圧部（５３）であり、前記押圧部（５３）と上蓋（１）の間に戻しバネ（５４）が設けられることを特徴とする炭酸飲料／ビール泡立て機。
【請求項２】
上蓋（１）と台座（２）の間に密封片（６１）が設けられることを特徴とする請求項１に記載の炭酸飲料／ビール泡立て機。
【請求項３】
上蓋（１）と台座（２）とによって構成された空間内に液体通路（３）が設けられ、前記液体通路（３）は、入口管（３１）および出口管（３２）を含み、前記入口管（３１）と台座（２）の間にシリコーンスリーブ（７１）が設けられることを特徴とする請求項１に記載の炭酸飲料／ビール泡立て機。
【請求項４】
前記台座（２）の下底面に第１シールリング（２１）が設けられることを特徴とする請求項１に記載の炭酸飲料／ビール泡立て機。
【請求項５】
前記振動モジュール（４）は、スイッチ（４１）と、回路盤アセンブリ（４２）と、振動ユニット（４３）と、電源を供給する充電池アセンブリ（４４）とを備え、前記振動ユニット（４３）の振動素子（４３１）が前記液体通路（３）の外壁に当接し、前記スイッチ（４１）と、回路盤アセンブリ（４２）と、振動ユニット（４３）と、電源を供給する充電池アセンブリ（４４）とは、互いに電気接続されることを特徴とする請求項１または２に記載の炭酸飲料／ビール泡立て機。
【請求項６】
前記スイッチ（４１）が静電容量タッチ型スイッチであり、前記静電容量タッチ型スイッチの上方に静電容量伝達部品（４１１）が設けられ、静電容量伝達部品が上蓋（１）におけるタッチ部（１１）まで延在することを特徴とする請求項５に記載の炭酸飲料／ビール泡立て機。
【請求項７】
静電容量伝達部品（４１１）は、コイルバネまたは金物であることを特徴とする請求項１または２に記載の炭酸飲料／ビール泡立て機。
【考案の詳細な説明】
【技術分野】
【０００１】
本考案は、泡ありビール機器分野に関し、特に炭酸飲料／ビール泡立て機に関する。
【背景技術】
【０００２】
中国特許文献ＣＮ２０５４４１４７５Ｕには、簡易ビール泡立て機が開示されている。その簡易ビール泡立て機は、ビール泡立て機本体を備える。前記ビール泡立て機本体は、台座体及び脱着可能に台座体の底部に設置されるビール供給部材を備える。前記台座体内には振動ユニット、及びビール貯蔵容器をロックするためのロックユニットが設置される。前記ビール供給部材は、ビール供給管用架台、及びビール供給管用架台の底部に被覆される水密閉用シリコーンを備える。前記ビール供給管用架台におけるビール供給通路には前記振動ユニットと協力して泡を立てるための突起柱が設置されており、前記台座体の一側にビール供給通路が貫通するための貫通孔が形成されている。しかし、このような構造の簡易ビール泡立て機には、２つの課題が存在する。１つ目は、ある特定の型番のビール缶包装にしか適用しないため、ビール缶包装に対する汎用性が良くない。２つ目は、外観や手触りがあまり良くない。
【考案の概要】
【考案が解決しようとする課題】
【０００３】
上記課題を解決すべく、本考案は、炭酸飲料／ビール泡立て機を社会へ提供する。
【課題を解決するための手段】
【０００４】
本考案の解決手段は、炭酸飲料／ビール泡立て機を提供する。当該炭酸飲料／ビール泡立て機は、本体ソフトスリーブを備える。前記本体ソフトスリーブ内に上蓋および台座が設けられる。前記上蓋と台座とによって構成された空間内に液体通路および振動モジュールが設けられる。前記振動モジュールは、液体通路を流れた気体含有飲料に対して振動を行なうことで気体含有飲料に泡を立てるように設けられる。前記上蓋の外側に１対の留め金が対称となるように設けられる。前記留め金は、その中の回転軸を設置することで上蓋にピンジョイントされる。前記留め金の下端が飲料包装口を掛けるためのバックル足であり、前記留め金の上端が押圧部である。前記押圧部と上蓋の間に戻しバネが設けられる。
【０００５】
本考案に対する改良として、上蓋と台座の間に密封片が設けられる。
本考案に対する改良として、上蓋と台座とによって構成された空間内に液体通路が設けられ、前記液体通路は、入口管および出口管を含み、前記入口管と台座の間にシリコーンスリーブが設けられる。
【０００６】
本考案に対する改良として、前記台座の下底面に第１シールリングが設けられる。
本考案に対する改良として、前記振動モジュールは、スイッチと、回路盤アセンブリと、振動ユニットと、電源を供給する充電池アセンブリとを備え、前記振動ユニットの振動素子が前記液体通路の外壁に当接し、前記スイッチと、回路盤アセンブリと、振動ユニットと、電源を供給する充電池アセンブリとは、互いに電気接続される。
【０００７】
本考案に対する改良として、前記スイッチが静電容量タッチ型スイッチであり、前記静電容量タッチ型スイッチの上方に静電容量伝達部品が設けられ、静電容量伝達部品が上蓋におけるタッチ部まで延在する。
【０００８】
本考案に対する改良として、前記静電容量伝達部品は、コイルバネまたは金物である。
本考案では、ソフトスリーブが採用されたため、利用者の手触りが良くなり、外観もより美観になる。１対の留め金の構造が採用されたため、市販されている炭酸飲料およびビール飲料の缶包装に適用でき、汎用性が良くなる。多重防水措置が採用されたため、防水効果が良好になり、製品を水に入れて洗浄可能である。携帯電話などのＵＳＢケーブルで充電可能であり、使用が便利になる。スイッチにタッチスイッチが採用されたため、使用感がより良好になる。
【図面の簡単な説明】
【０００９】
【図１】本考案の実施例の立体分解構造の模式図である。
【図２】図１による組立後の正面構造の模式図である。
【図３】図２の平面視構造の模式図である。
【図４】図３のＡ-Ａ面の断面視構造の模式図である。
【図５】図３のＢ-Ｂ面の断面視構造の模式図である。
【図６】図２の立体構造の模式図である。
【考案を実施するための形態】
【００１０】
本考案の記述において、理解すべきことは、用語「中心」、「上」、「下」、「前」、「後」、「左」、「右」等で方位または位置関係を指示することが、図面に示す方位または位置関係に基づくものであり、本考案を説明しやすくて記述を簡素化するためのものである。それは、かかる装置や素子が必ずしも特定の方位を有し、特定の方位で構成されて操作することを指示やヒントすることではない。そのため、それが本考案に対する制限として理解されるべきではない。また、用語「第１」、「第２」が記述目的のみで用いられ、重要度を指示やヒントするものとは理解されるべきではない。
【００１１】
本考案の記述において、説明すべきことは、明確な規定および限定が別途存在しない限り、用語「取り付ける」、「接続」、「連通」は、広い意味で理解されるべきである。例えば、それは、固定接続であってもよく、取り外し接続または一体化接続であってもよい。それは、機械的接続であってもよく、電気的接続であってもよい。それは、直接接続であってもよく、中間媒介を介した間接的な接続であってもよい。さらに、２つの素子内の連通であってもよい。当業者であれば、具体的な状況に基づいて上記用語の本考案での具体的な意味を理解できる。また、本考案の記述において、別途説明しない限り、「複数の」、「若干」は、２つ以上を指す。
【００１２】
まず、図１から図６を参照すると、図１から図６は、炭酸飲料／ビール泡立て機を示す。それは、本体ソフトスリーブ６を備える。前記本体ソフトスリーブ６内に上蓋１、密封片６１および台座２が設けられる。前記上蓋１密封片６１と台座２とによって構成された空間内に液体通路３が設けられる。液体通路３は、入口管３１および出口管３２を含む。前記入口管３１と台座２の間には、シリコーンスリーブ７１が設けられる。振動モジュール４、前記振動モジュール４は、液体通路３を流れた気体含有飲料に対して振動を行なって、気体含有飲料に泡を立てるように設けられる。前記上蓋１の外側に１対の留め金５が対称となるように設けられる。前記留め金５は、その中の回転軸５１を設置することで上蓋１にピンジョイントされる。前記留め金５の下端は、飲料包装口を掛けるためのバックル足５２である。前記留め金５の上端は、押圧部５３である。前記押圧部５３と上蓋１の間には、戻しバネ５４が設けられる。本実施例では、前記振動モジュール４は、スイッチ４１、回路盤アセンブリ４２、振動ユニット４３、および、電源を供給する充電池アセンブリ４４を備える。前記振動ユニット４３は、前記液体通路３の外壁に当接する。前記スイッチ４１、回路盤アセンブリ４２、振動ユニット４３、および、電源を供給する充電池アセンブリ４４は、互いに電性接続される。ただし、前記振動ユニット４３は、振動器４３１を備える。振動器４３１は、振動器座４３５に設けられる。振動器４３１の他方側には、振動器板４３３、振動器クッション４３４および振動器バネ４３２が順に設けられる。
【００１３】
好ましくは、前記スイッチ４１は、静電容量タッチ型スイッチである。前記静電容量タッチ型スイッチの上方に静電容量伝達部品４１１が設けられる。静電容量伝達部品は、上蓋１におけるタッチ部１１まで延在する。本実施例では、充電コンセント４２２、コンセント栓４２３およびＬＥＤライト１２がさらに設置される。充電コンセント４２２は、充電池アセンブリ４４へ充電を行い、コンセント栓４２３は、コンセント４２２の穴を塞いで水の進入を防止し、ＬＥＤライト１２は、本考案の稼動状態を表示する。
【００１４】
好ましくは、前記台座２の下底面に第１シールリング２１が設けられる。前記静電容量伝達部品４１１は、コイルバネまたは金物である。
本考案の使用時に、手で本体ソフトスリーブ６の両側の押圧部５３を押さえて、前記バックル足５２を開く。その際、缶またはカップを入れた直後に手を離しても良い。バックル足５２は、両側の戻しバネ５４の働きにより、缶またはカップに緊密に掛ける。手でタッチ部１１に軽く触れると、人体電気容量が静電容量伝達部品４１１を介してスイッチ４１に伝達される。その際、スイッチ４１が回路をオンまたはオフにする。オンにされたときに、前記振動モジュール４が動作し、そうでなければ、前記振動モジュール４が動作しない。
【図１】
0003214509.tif 000003
【図２】
0003214509.tif 000004
【図３】
0003214509.tif 000005
【図４】
0003214509.tif 000006
【図５】
0003214509.tif 000007
【図６】
0003214509.tif 000008